(57)【要約】  本発明は、家具本体（１）の側壁（２）に強固に締結されうるガイド装置（７）と、ガイド装置に沿って長手方向に移動可能に案内されるスライドバー（８）とを備える家具引き出しガイド（３）において、上記スライドバーを家具引き出し部品、好ましくは引き出し（４）に結合することができ、家具引き出し部品を結合して固定するため、スライドバー（８）を閉じるため、末端ストッパを形成するため、スライドバーの断面の補強のため、閉位置のロックのためなどの異なる機能部品がスライドバー（８）の後端領域および前端領域に配置され、前端領域および後端領域の機能部品が、積極的な嵌合態様、形状ロック態様、および／または一体的態様でスライドバー（８）に締結される事前に製造された多機能アセンブリに組み合わせられる、家具引き出しガイド（３）に関する。【選択図】図３
2012503998.tif 000002
【特許請求の範囲】
【請求項１】
家具本体（１）の側壁（２）の所定の位置に締結可能に固定されるガイド装置（７）と、前記ガイド装置に沿って移動可能に案内されるスライドレール（８）とを有し、前記スライドレールが家具引き出し部品、好ましくは引き出し（４）に結合でき、前記家具引き出し部品を結合して固定するため、前記スライドレール（８）を閉じるため、末端ストッパを形成するため、前記スライドレールの断面の補強のため、閉位置のロックのためなどの様々な機能部品が前記スライドレール（８）の後端領域および前端領域に設けられる家具引き出しガイド（３）において、
前記前端領域および後端領域の前記機能部品が、摩擦ロック態様で、形状適合態様で、および／または、材料的に結合される態様で前記スライドレール（８）に固定される、事前に完成された多機能アセンブリに組み立てられることを特徴とする家具引き出しガイド（３）。
【請求項２】
前記多機能アセンブリが、好ましくは１つの部品の状態で製造される成形部品、または接続されるサブグループから形成される成形部品を備えることを特徴とする請求項１に記載の家具引き出しガイド。
【請求項３】
前記アセンブリまたは前記サブグループがプラスチックから形成されることを特徴とする請求項１または２に記載の家具引き出しガイド。
【請求項４】
前記アセンブリまたは前記サブグループがプラスチック射出成形部品を備えることを特徴とする請求項１〜３のいずれか一項に記載の家具引き出しガイド。
【請求項５】
前記アセンブリまたは前記サブグループがプラスチックレーザ焼結部品を備えることを特徴とする請求項１〜４のいずれか一項に記載の家具引き出しガイド。
【請求項６】
後側アセンブリが、前記スライドレール（８）の後端を閉じてスライドレール断面を補強する末端プラグ（２７）として設けられることを特徴とする請求項１〜５のいずれか一項に記載の家具引き出しガイド。
【請求項７】
後側アセンブリが、前記スライドレール（８）の後端を閉じてスライドレール断面を補強するキャップ（２７ａ）として設けられることを特徴とする請求項１〜４のいずれか一項に記載の家具引き出しガイド。
【請求項８】
後側アセンブリが、前記スライドレール（８）と平行に前記スライドレール（８）の前面の方向に延びるキャッチフック（２８）と、前記スライドレール（８）を減衰停止させるための弾力のある舌部（３１）とを有することを特徴とする請求項１〜７のいずれか一項に記載の家具引き出しガイド。
【請求項９】
後側アセンブリが、前記キャッチフック（２８）と平行に前記キャッチフック（２８）と同じ方向に延びる脚部（３３）を有するフック（３２）を備え、該脚部（３３）が、前記引き出し（４）が開放するときに前記ガイド装置（７）に係合し、それにより、前記スライドレール（８）の後端が走行方向に対して垂直および水平に安定化されることを特徴とする請求項１〜８のいずれか一項に記載の家具引き出しガイド。
【請求項１０】
後側アセンブリには、末端ストッパ（２９、２９ａ）と、前記スライドレール（８）を完全に延ばされた状態で前記ガイド装置（７）に対して固定する突出部（３０、３０ａ）とが設けられることを特徴とする請求項１〜９のいずれか一項に記載の家具引き出しガイド。
【請求項１１】
前側アセンブリが、前記スライドレール（８）の前端に押し付けることができるキャップ（１３０）、または、前記スライドレール（８）の前端に挿入可能な末端プラグ（１３ａ）を備え、前記キャップ（１３０）または前記末端プラグ（１３ａ）が、引き出し（４）に結合するために、好ましくは前記引き出し（４）の側壁の垂直に延びる穴に係合する垂直上方に延びる少なくとも１つのジャーナル（１４）を有することを特徴とする請求項１〜１０のいずれか一項に記載の家具引き出しガイド。
【請求項１２】
前側アセンブリ（１３０、１３ａ）が、前記引き出し（４）の閉塞時に前記ガイド装置（７）と減衰態様で相互に作用する、例えば弾力のある舌部などの形態を成す減衰装置を有することを特徴とする請求項１〜１１のいずれか一項に記載の家具引き出しガイド。
【請求項１３】
前側アセンブリが垂直調整装置を有することを特徴とする請求項１〜１２のいずれか一項に記載の家具引き出しガイド。
【請求項１４】
前記垂直調整装置が、刻み付きホイール（１８）を介して動作可能な垂直調整ねじ（１９）を備えることを特徴とする請求項１〜１３のいずれか一項に記載の家具引き出しガイド。
【請求項１５】
前記垂直調整装置が、前記スライドレール（８）に沿って移動でき且つ前記キャップ（１３０）の傾斜面（１７）を介して垂直に調整できるブラケット（１６）を備えることを特徴とする請求項１〜１４のいずれか一項に記載の家具引き出しガイド。
【請求項１６】
前記垂直調整装置が、前記スライドレール（８）に沿って移動でき且つ前記引き出し（４）の床面を支持する支持カム（２１）を有するスライド（２０）を備えることを特徴とする請求項１〜１５のいずれか一項に記載の家具引き出しガイド。
【請求項１７】
前記垂直調整装置が、垂直に移動でき且つ前記キャップ（１３０）または末端プラグ（１３ａ）の係合によって固定できるスライド（２２）を備えることを特徴とする請求項１〜１６のいずれか一項に記載の家具引き出しガイド。
【請求項１８】
前側アセンブリが前記引き出し（４）のための離昇防止装置を有し、該離昇防止装置が、引き出し（４）のフロントパネル（６）の対応する穴に係合する円柱状のアタッチメント（１５）を備えることを特徴とする請求項１〜１７のいずれか一項に記載の家具引き出しガイド。
【請求項１９】
円柱状のアタッチメント（１５）の形態を成す前記離昇防止装置が、前記垂直調整装置を形成するスライド（２２）の一部であることを特徴とする請求項１〜１８のいずれか一項に記載の家具引き出しガイド。
【請求項２０】
前記離昇防止装置が、前記スライドレール（８）をその走行方向に対して垂直に貫通する固定ピン（３７）を備え、前記固定ピン（３７）が、前記引き出し（４）に結合されるジャーナル（１４）の横穴に係合することを特徴とする請求項１〜１９のいずれか一項に記載の家具引き出しガイド。
【請求項２１】
前記スライドレール（８）によって取り囲まれる自己引き込み装置（９）が前記ガイド装置（７）に組み込まれることを特徴とする請求項１〜２０のいずれか一項に記載の家具引き出しガイド。
【請求項２２】
前記自己引き込み装置（９）を作動させるための作動体（３９）が前記前側アセンブリの一部であることを特徴とする請求項１〜２１のいずれか一項に記載の家具引き出しガイド。
【請求項２３】
前記末端プラグ（１３ａ）が、引き込み状態の前記スライドレール（８）のための末端ストッパを形成するとともに、垂直に延びる接続ジャーナル（１４）、自己引き込み装置のドライバの作動のための作動体（３９）、または、接続ジャーナル（１４）および作動体（３９）の両方を備えることを特徴とする請求項１に記載の家具引き出しガイド。
【請求項２４】
前記作動体（３９）が前記末端プラグ（１３ａ）に一体に成形されることを特徴とする請求項２３に記載の家具引き出しガイド。
【請求項２５】
前記接続ジャーナル（１４）が前記末端プラグ（１３ａ）に一体に形成されることを特徴とする請求項２３に記載の家具引き出しガイド。
【請求項２６】
前記離昇防止装置が、前記末端プラグ（１３ａ）をその横方向であるいはその長手方向で貫通して家具引き出し部品の側壁またはフロントパネルの穴に挿入できる円柱状のピン（１０１）を備えることを特徴とする請求項１〜２５のいずれか一項に記載の家具引き出しガイド。
【請求項２７】
前記円柱状のピン（１０１）にはその一端にハンドル（１０２）が設けられることを特徴とする請求項２６に記載の家具引き出しガイド。
【請求項２８】
前記垂直調整装置が偏心器（１０３）を備え、該偏心器が、その軸線（１０４）を前記末端プラグ（１３ａ）に結合してロックされることを特徴とする請求項１〜２７のいずれか一項に記載の家具引き出しガイド。
【請求項２９】
前記垂直調整装置が刻み付きホイール（１８）を有する垂直調整ねじ（１９）を備え、該垂直調整ねじ（１９）が前記末端プラグ（１３ａ）のねじ穴（１９ａ）に上側からねじ込まれることを特徴とする請求項１〜２８のいずれか一項に記載の家具引き出しガイド。
【請求項３０】
前記末端プラグ（１３ａ）には前記刻み付きホイール（１８）の領域に切り欠きが設けられ、該切り欠きの高さが前記刻み付きホイール（１８）の厚さに対応することを特徴とする請求項２９に記載の家具引き出しガイド。
【請求項３１】
前記偏心器（１０３）の前記軸線（１０４）にはその一端にクランク（１０５）が設けられることを特徴とする請求項１〜３０のいずれか一項に記載の家具引き出しガイド。
【請求項３２】
前記末端プラグ（１３ａ）をその長手方向で貫通する前記円柱状のピン（１０１）が、前記末端プラグ（１３ａ）に成形され且つ前記スライドレール（８）の断面を越えて横方向に突出する延在部（１００）を貫通することを特徴とする請求項１〜３１のいずれか一項に記載の家具引き出しガイド。
【請求項３３】
前記末端プラグ（１３ａ）が、前記スライドレール（８）の上面から生じる切り欠き（１０６）の下側逃げ面に載置されて２つの保持タブ（１０９）を使用して前記スライドレール（８）に固定され、前記保持タブ（１０９）が、いずれの場合にも、横方向の切り抜き部（１０７）内に折り曲げられて、該切り抜き部内で下側窪み（１０８）に押し付けられることを特徴とする請求項１〜３２のいずれか一項に記載の家具引き出しガイド。
【請求項３４】
前記末端プラグ（１３ａ）が、前記スライドレール（８）内に突出する形状適合アタッチメントを有し、このアタッチメントの領域で前記スライドレール（８）にロックされあるいは圧入されることを特徴とする請求項２３〜３１のいずれか一項に記載の家具引き出しガイド。
【請求項３５】
前記末端プラグ（１３ａ）が射出成形品として形成されることを特徴とする請求項１〜３４のいずれか一項に記載の家具引き出しガイド。
【請求項３６】
前記末端プラグ（１３ａ）が金属から形成されることを特徴とする請求項３５に記載の家具引き出しガイド。
【請求項３７】
前記末端プラグ（１３ａ）がプラスチックから形成されることを特徴とする請求項３４に記載の家具引き出しガイド。
【発明の詳細な説明】
【技術分野】
【０００１】
本発明は、家具本体の側壁の所定の位置に締結可能に固定されるガイド装置と、ガイド装置上で長手方向に移動可能となるように案内されるスライドレールとを有し、スライドレールを家具引き出し部品、好ましくは引き出しと結合でき、家具引き出し部品を結合して固定するため、スライドレールを閉じるため、末端ストッパを形成するため、スライドレールの断面の補強のため、閉位置のロックのためなどの様々な機能部品がスライドレールの後端領域および前端領域に設けられる家具引き出しガイドに関する。
【背景技術】
【０００２】
この種に係るタイプの家具引き出しガイドはそれ自体知られている。
【０００３】
家具引き出し部品、好ましくは引き出しをそのような家具引き出しガイドのスライドレールに固定できるように、様々な機能部品がスライドレールに必要とされる。家具引き出し部品をスライドレールに対して固定するため、例えば、いわゆるキャッチフックが例えば後端領域に必要とされ、キャッチフックは、スライドレールの長手方向軸線と平行に特定の垂直距離を隔てて延びるとともに、スライドレールの前面の方向に延在する。このキャッチフックは、取り付け状態で、家具引き出し部品の後壁の穴に係合し、それにより、家具引き出し部品は、離昇しないように且つ後端領域で横方向に移動しないように固定される。スライドレールの前端領域には、家具引き出し部品の側壁の垂直に延びる穴に係合できるプラグピンが必要とされる。このようにして、家具引き出し部品は、前側領域で引き出しレールに対しても移動しないように固定される。更に、前側領域では、家具引き出し部品の意図しない離昇を前側領域で防止する離昇防止装置が望ましい。
【０００４】
また、スライドレールのスライド経路の範囲を定めるために末端ストッパが必要とされるとともに、末端ストッパに達する際のノイズを減衰させるための減衰手段も必要とされ、更に、家具引き出し部品をその垂直位置に関して調整できるように垂直調整装置が設けられなければならない。更には末端位置ダンパの導入も考えられる。
【０００５】
必要とされる機能部品の上記列挙は、網羅的なものとして理解されるべきではなく、家具引き出し部品とスライドレールとの最適な結合のための全ての要件を満たすために多機能部品が設けられなければならないことを単に明らかにするためのものである。
【０００６】
以上、対応する機能部品がそれぞれ別個の構成要素として形成されて引き出しガイドに固定され、あるいはスタンピング加工およびエンボス加工によってスライドレールを基に形成された。
【発明の概要】
【発明が解決しようとする課題】
【０００７】
多数の必要とされる機能部品の場合、これには、かなりの製造費用、したがってコスト支出が関係してくる。
【０００８】
本発明は、この種に係るタイプの家具引き出しガイドにおいて、多種多様な機能部品のスライドレールに対する取り付けがかなり簡略化されてコストが低減される家具引き出しガイドを提供するという目的に基づく。
【課題を解決するための手段】
【０００９】
この目的は、前端領域および後端領域の機能部品が摩擦ロック態様で、形状適合態様で、および／または、材料的に結合される態様でスライドレールに固定される、事前に完成された多機能アセンブリに組み立てられるという点において、本発明により達成される。
【００１０】
そのような設計の利点は、特に製造コストおよび設置コストのかなりの節約である。
【００１１】
複数の機能を含むアセンブリは、ねじなどの更なるコネクタを伴うことなく、且つ溶接処理を必要とすることなく、簡単な方法で迅速に且つ容易にスライドレールに固定することができる。アセンブリ自体は、任意の所望の形態を成して高い費用効率で事前に完成させることができ、特にここでは、レーザ焼結部品または射出成形部品として製造することも考慮に入れる。スライドレールに対するアセンブリの係合接続を可能にするためには、係合凹部がスライドレールに打ち抜かれなければならないという事を除けば、スライドレール自体を実質的に加工する必要がない。有利には、そのような打ち抜きは、実際には、終わりのない形状部から対応するスライドレール部分をカットする１つの作業ステップで行なうことができる。
【００１２】
本発明の好ましい典型的な実施形態は、そのスライドレールが連続する長手方向スロットを備える中空形状部として設けられ且つ末端プラグを使用して前端領域で閉じられる家具引き出しガイドにおいて、末端プラグは、スライドレールに結合される家具引き出し部品のための垂直調整装置および離昇防止装置を有し、その場合、末端プラグは、引き込み状態のスライドレールのための末端ストッパを形成するとともに、垂直に延びる接続ジャーナル、自己引き込み装置のドライバの作動のための作動体、または、更には接続ジャーナルおよび作動体の両方を備える家具引き出しガイドの場合に見られる。
【００１３】
これらの設計措置により、末端プラグには全てが末端プラグに組み込まれる更なる機能が備えられ、それにより、それぞれの用途のために必要とされる全ての機能部品をスライドレールの前端領域にある程度まで事前に組み立てられて末端プラグと一緒にスライドレールに固定できるという点において、取り付けがかなり簡略化される。
【００１４】
本発明の更なる特徴が従属請求項の主題である。
【００１５】
本発明の典型的な実施形態が添付図面に示されており、以下、これらの実施形態について更に詳しく説明する。
【図面の簡単な説明】
【００１６】
【図１】家具本体に固定される本発明に係る引き出しガイドの図である。
【図２】図１のＩＩによって特定される細部の拡大図である。
【図３】図１に係る引き出しガイドの斜視図である。
【図４】図３のＩＶによって特定される細部の拡大図である。
【図５】垂直調整装置の変更された設定位置における図３に対応する引き出しガイドの斜視図である。
【図６】図５のＶＩによって特定される細部の拡大図である。
【図７】本発明の更なる典型的な実施形態に係る家具引き出しガイドの斜視図である。
【図８】図７のＶＩＩＩによって特定される細部の拡大図である。
【図９】本発明の更なる典型的な実施形態に係る家具引き出しガイドの斜視図である。
【図１０】図９のＸによって特定される細部の拡大図である。
【図１１】家具引き出しガイドの更なる典型的な実施形態の斜視図である。
【図１２】図１１のＸＩＩによって特定される細部の拡大図である。
【図１３】本発明の更なる典型的な実施形態に係る家具引き出しガイドの斜視である。
【図１４】図１３のＸＩＶによって特定される細部の拡大図である。
【図１５】本発明の更なる典型的な実施形態に係る家具引き出しガイドのスライドレールの斜視図である。
【図１６】図１５のＸＶＩによって特定される細部の拡大図である。
【図１７】本発明に係る家具引き出しガイドの後側末端プラグの斜視図である。
【図１８】本発明に係る家具引き出しガイドの後側末端プラグの斜視図である。
【図１９】本発明に係る家具引き出しガイドの前側末端プラグの様々な斜視図である。
【図２０】本発明に係る家具引き出しガイドの前側末端プラグの様々な斜視図である。
【図２１】本発明の更なる典型的な実施形態に係る家具引き出しガイドの後側末端プラグの斜視図である。
【図２２】本発明の更なる典型的な実施形態に係る家具引き出しガイドの後側末端プラグの様々な斜視図である。
【図２３】本発明の更なる典型的な実施形態に係る家具引き出しガイドの後側末端プラグの様々な斜視図である。
【図２４】自己引き込み装置を有する本発明に係る家具引き出しガイドのガイド装置の斜視図である。
【図２５】自己引き込み装置の細部の様々な斜視図である。
【図２６】自己引き込み装置の細部の様々な斜視図である。
【図２７】作動機能を有する末端プラグを示す図である。
【図２８】作動機能を有する末端プラグの正面図である。
【図２９】図２８のＸＸＩＸによって特定される断面に沿う断面図である。
【図３０】本発明の更なる典型的な実施形態に係る家具引き出しガイドの図である。
【図３１】図３０のＸＸＸＩによって特定される細部の拡大図である。
【図３２】本発明の更なる典型的な実施形態に係る家具引き出しガイドの斜視図である。
【図３３】図３２のＸＸＸＩＩＩによって特定される細部の拡大図である。
【図３４】前側末端プラグの図３３に対応して拡大された分解図を示している。
【図３５】本発明の更なる典型的な実施形態に係る家具引き出しガイドの斜視図である。
【図３６】図３５のＸＸＸＶＩによって特定される細部の拡大図である。
【図３７】取り付け位置から外れた状態の図３６に広く対応する図である。
【図３８】末端プラグを有する、本発明に係るスライドレールの部分斜視図である。
【図３９】異なる方向から見た図３８に係るスライドレールの部分斜視図である。
【図４０】末端プラグの様々な機能部品が図３８および図３９とは異なる位置で示される、本発明に係るスライドレールの更なる斜視図である。
【図４１】図３８〜図４０に係るスライドレールの分解斜視図である。
【図４２】図４１とは異なる方向から見たスライドレールの分解斜視図である。
【図４３】図３８〜図４２に係るスライドレールの末端プラグの斜視図である。
【図４４】図４３に係る末端プラグの分解斜視図である。
【図４５】本発明の更なる典型的な実施形態に係るスライドレールの末端プラグの分解図である。
【図４６】取り付け状態の、図４５に係る末端プラグの斜視図である。
【図４７】本発明の更なる典型的な実施形態に係るスライドレールの斜視図である。
【図４８】異なる角度から見た図４７に係るスライドレールの斜視図である。
【図４９】図４７および図４８に係るスライドレールの分解斜視図である。
【図５０】図４７〜図４９に係るスライドレールの末端プラグの分解図である。
【図５１】本発明の更なる典型的な実施形態に係るスライドレールの斜視図である。
【図５２】図５１に係るスライドレールの末端プラグの斜視図である。
【図５３】図５１に係るスライドレールの分解斜視図である。
【図５４】本発明の更なる典型的な実施形態に係るスライドレールの末端プラグの斜視図である。
【図５５】図５４に係る末端プラグの分解斜視図である。
【発明を実施するための形態】
【００１７】
図１には家具本体が参照符号１によって非常に大まかに特定されており、家具本体の側壁２には、好ましくは引き出し４の形態を成す家具引き出し部品のための家具引き出しガイド３が固定される。
【００１８】
図１では、引き出し４がその押し込み位置で示されている。すなわち、引き出し４の後領域が家具本体１の後壁５に隣接し、一方、引き出し４の前端を形成するフロントパネル６が家具本体１の前面に対して直接に押し付く。
【００１９】
家具引き出しガイド３は（他の全ての典型的な実施形態にも示されるように）ガイド装置７とスライドレール８とを備える。ガイド装置７はその基本的な構造が図２４に示されており、これには以下で更に詳しく説明する自己引き込み装置９の特別な特徴が更に示されている。基本的に、ガイド装置７は、家具本体１の側壁２に互いに距離を隔てて固定でき且つ取り付け面に対して垂直に突出するサイドアーム１１が設けられる、２つの取り付けアングル１０を備える。回転可能に装着されるローラ１３を有するローラキャリア１２がサイドアーム１１に押し付けられて、取り付け面から所望の距離を隔てて固定される。ローラ１３は、断面が略長方形のスライドレール８によって取り囲まれ、それにより、スライドレール８がローラ１３の上面に支持されるとともに下面からローラ１３を取り囲み、その結果、スライドレール８は、それがローラ１３上で滑らかに長手方向に移動できるように案内されると同時に、引っ掛からないようにあるいは傾かないようにされる。自己引き込み装置９に代わる手段として排出装置を使用することもできる。
【００２０】
既に述べたように、図２４に示されるような自己引き込み装置９の形態は、任意的なものであり、スライドレール８のガイドにとって必ずしも必要ではない。
【００２１】
引き出し４は、既知の方法でスライドレール８に対して固定されなければならない。
【００２２】
この目的のため、キャップ１３０が、このスライドレール８の前領域でスライドレール８に押し付けられて、スライドレール８に捕捉またはクランプによって固定され、このキャップは、左側スライドレール８および右側スライドレール８の両方で対称部品として使用でき、したがって、垂直上方へ延びる２つのジャーナル１４を有し、このうち、キャップ１３０と取り付けアングル１０との間にあるジャーナル１４は引き出し側壁の垂直に向けられた対応する穴に係合できる。引き出し４の床面は、キャップ１３０の上面に載置されるとともに、ジャーナル１４が側壁の穴に係合することによってスライドレール８に対して前方に水平面内で最初に１回固定される。
【００２３】
図４および図６が特に明確に示すように、水平に延びる円柱状のアタッチメント１５がキャップ１３０の前面に設けられ、このアタッチメント１５はフロントパネル６の水平に延びる対応する穴に係合でき、それにより、付加的に、引き出し４がスライドレール８から離昇しないようにされる。
【００２４】
図１〜図６に係る典型的な実施形態では、ガイドレール８に沿って二重矢印Ａの方向に移動できるブラケット１６が前端領域に更に設けられ、該ブラケットはキャップ１３０の傾斜面１７上に支持され、それにより、スライドレール８の上面に対するブラケット１６の垂直位置をある限界内で変えることができる。したがって、ブラケット１６をキャップ１３０の上面に乗り上げさせることができ、そのため、それに応じて引き出し４を上方へ移動させることもでき、それにより、所要の公差補償措置のための引き出し４の垂直調整が可能になる。
【００２５】
したがって、ブラケット１６は、その上面がキャップ１３０の上面と略同一面内にある図４に示されるような位置をとり、一方、図６は、ブラケット１６がキャップ１３０の方向に移動されてキャップの表面よりも上側に大きく持ち上げられた状態を示している。
【００２６】
キャップ１３０は、引き出しをその閉位置に引き込むあるいは押し込む際に作用する、以下で更に詳しく説明される末端ストッパを更に含む。
【００２７】
垂直調整装置を形成するブラケット１６と共に、キャップ１３０は、前述した様々な機能を含むアセンブリを全体として形成する。
【００２８】
このように、引き出し４をスライドレール８の前端に対して固定するために必要とされる、垂直調整を含む全ての機能は、キャップ１３０とブラケット１６とを備える請求項に記載されるアセンブリによって実施される。
【００２９】
キャップ１３０およびブラケット１６はいずれもプラスチック成形部品として実施されることが好ましい。キャップ１３０は、前述したように容易に且つ工具を伴うことなくスライドレール８に対して固定ロックできおよび／またはクランプできる。
【００３０】
したがって、ここでは特別な処理ステップや溶接処理などが必要とされず、特に、キャップ１３０上に成形される係合突起のための係合凹部を打ち抜くことがスライドレール８に関して必要とされるにすぎない。
【００３１】
図７および図８に係る典型的な実施形態は、本質的に、垂直調整装置がここでは垂直調整ねじ１９の形態で設けられ、該垂直調整ねじ１９を刻み付きホイール１８によって作動させることができ、垂直調整ねじ１９上で引き出し４の床面が支持されるという点において前述した典型的な実施形態と異なる。刻み付きねじ１８を動作させることにより、ここでは簡単な方法で引き出し４の前端領域の垂直調整を行なうことができる。
【００３２】
図９および図１０に係る典型的な実施形態では、前述した典型的な実施形態と対照的に、支持カム２１をその上面に有するスライド２０がスライドレール８上に設けられ、該スライド２０が引き出し４の床面を支持するとともに、先と同様にスライドレール８に対する長手方向の移動によって引き出し４の垂直調整を可能にするという点において、引き出し４のための垂直調整装置が実施される。
【００３３】
図１１および図１２に係る典型的な実施形態では、引き出し４のための垂直調整装置がスライド２２によって実施され、該スライド２２がキャップ１３０の前面領域で案内されてロック可能である典型的な一実施形態が示される。このスライド２２は円柱状のアタッチメント１５を更に有し、該アタッチメント１５も、先と同様に引き出し４のフロントパネルの穴に係合でき、したがって、引き出し４のための離昇防止装置１５を形成できる。
【００３４】
図１３および図１４は、フィルムヒンジ２３を介してキャップ１３０に接続されるサイドアーム２４を備える垂直調整装置を有する本発明の典型的な実施形態を示しており、サイドアーム２４は、スライドレール８に沿って移動できるスライド２５により傾斜面２６を介して上昇または下降され得る。スライド２５は、この目的のために設けられるキャップ１３０の支持ウェブ２８０上の歯２７０に沿って支持されて、その移動位置で固定でき、それにより、それぞれの調整された位置が引き出し４の垂直位置に対して固定される。
【００３５】
また、図１３および図１４に係る典型的な実施形態では、円柱状のアタッチメント１５が先と同様にキャップ１３０の前端領域に挿入される舌部２９０に設けられ、それにより離昇防止装置が形成されることが認識できる。
【００３６】
垂直調整装置のための更なる可能性が図１５および図１６によってもたらされる。図１３および図１４に係る典型的な実施形態の場合と同様に、ここでもスライドレール８に沿って移動できるスライド２５が設けられ、該スライドは傾斜面２６を介してサイドアーム２４ａと相互に作用し、サイドアーム２４ａはキャップ１３０上の傾斜面２６によってスライド２５と反対側でも支持される。このようにすると、図１３および図１４に係る典型的な実施形態とは対照的に、サイドアーム２４ａの平行移動がもたらされ、引き出し４全体の支持が更に安定する。
【００３７】
この時点まで、スライドレール８の前端領域に簡単な方法で固定でき且つ引き出しを構造に応じて固定して調整するための、より多数またはより少数の機能を含むアセンブリについて説明してきた。
【００３８】
様々な機能を果たすことができるアセンブリは、スライドレール８の後端領域にも設けられる。
【００３９】
したがって、例えば、図１７および図１８には、スライドレール８の後端に挿入できる末端プラグ２７が示される本発明の典型的な実施形態が示されており、末端プラグ２７は、スライドレール８と平行にスライドレール８の前端の方向に延びるキャッチフック２８を有し、該キャッチフックは取り付け状態で引き出し４の後端領域の穴に係合する。したがって、引き出し４は、離昇しないように且つ側方に移動しないように後端領域が固定される。
【００４０】
また、末端プラグ２７には、引き出し４の開放時に後壁５に最も近いガイド装置７のローラ１３に入り込む成形末端ストッパ２９が設けられる。それに対応して、末端ストッパ２９がローラ１３の直径にしたがって面取りされる。停止の場合にローラ１３の上側頂点にある領域で、末端ストッパ２９には、この頂点を越えて下方へ突出する突出部３０が設けられ、それにより、引き出しの開放位置は、少なくとも引き出しの意図しない戻りに抗して固定される。
【００４１】
図１９および図２０に示されるように、スライドレール８の前端の領域には、対応するストッパ２９ａを設けることもできる。キャップ１３０の代わりに、ここでは前側末端プラグ１３ａが示されており、該前側末端プラグ１３ａは、引き出し４の移動固定のためのジャーナル１４を備えるとともに、スライドレール８の前端に挿入できる。この末端プラグ１３ａは、図１７および図１８に示される後側末端プラグ２７と同様に、フロントローラ１３の直径に適合される面取りを有する末端ストッパ２９ａと、引き出し４の閉位置を固定し且つフロントローラ１３の頂点を越えて突出する突出部３０ａとを有する。
【００４２】
既に前述したように、スライドレール８と前端領域で重なり合う、対応する末端ストッパをキャップ１３０に設けることもできる。
【００４３】
図２１は、キャッチフック２８を有する後側アセンブリの変形を示している。これはスライドレール８の後端と重なり合うキャップ２７ａであり、該キャップ２７ａにはその内側後端領域に弾力のある舌部３１が設けられ、この舌部は、後壁５の方に面する後側ローラ１３にぶつかる際に生じる衝撃力およびノイズの両方の減衰をもたらす。
【００４４】
図２２および図２３に係る典型的な実施形態では、ここでもスライドレール８の後端に押し付けることができるキャップ２７ａが示されており、キャップ２７ａの後端の弾力のある舌部３１に加えて、引き出し４の前面の方向に延びる垂直延在脚３３を有するフック３２が更に設けられ、該フック３２は、引き出し４の完全開放状態で、後壁５の方に面するガイド装置７の２つのローラ１３間に係合して、互いの方に面する上記ローラ１３の前面に対して引き出し４を横方向および垂直方向に安定した態様で押し付ける。完全に開放する引き出しの沈みが減少される。
【００４５】
図２４に係るガイド装置７の構造については既に簡単に前述した。ここでは、一体型の自己引き込み装置９について更に詳しく説明する。図２５および図２６から明らかなように、自己引き込み装置９は、スライドレール８の移動方向と平行に移動できるドライバ３４と、スプリングの形態を成す力蓄積器３５とを本質的に備えており、力蓄積器３５は、引き出し４の開放時にテンションが掛けられるとともに、引き出し４の閉塞時に再び解放され、それにより、引き出し４をその閉位置に安全に引き込むために力蓄積器に含まれるエネルギを使用することができ、この目的のために外力を加える必要がない。自己引き込みのこの作用はそれ自体知られているが、図示の典型的な実施形態の特別な特徴は、自己引き込み装置９がスライドレール８によって完全に取り囲まれ、したがって、自己引き込み装置９が隠されるという点である。ドライバ３４を作動させるための作動体３９がスライドレール８の前側アセンブリの領域に設けられる。あるいは、自己引き込み装置の代わりに排出装置をこのアセンブリに組み込むことができる。
【００４６】
図２７は、自己引き込み装置９のための一体型作動体３９を有するキャップ１３０を示している。一体型作動体３９を有するキャップ１３０の正面図が図２８に示されている。図２９の断面図は、作動体３９のロッキング突起４０およびトリガ面４１を示している。家具引き出しガイド３または引き出し４の開放時、ドライバ３４が自己引き込み装置９のロッキング突起４０によって水平に固定される。家具引き出しガイド３または引き出し４の閉塞時、トリガ面４１がドライバ３４と衝突してそれを作動体３９に固定する。したがって、引き出しガイドが自己引き込み装置９によって閉じられる。そのため、閉状態では、引き出しガイドが更に閉じられたままとなる。
【００４７】
図３０、３１から明らかなように、スライドレール８の長手方向にロック態様で移動できる構成要素３６に離昇防止装置を形成するようにスライドレール８の前端領域に円柱状のアタッチメント１５を成形することもでき、それにより、引き出し４の対応する穴へのアタッチメント１５の挿入深さを設定できる。アタッチメント１５を作動させることにより、離昇防止装置を解除して、引き出し４を取り外すことができる。一方で、アタッチメント１５を調整することにより長さ公差補償が達成される。
【００４８】
図３２〜図３４は、固定ピン３７が前側末端プラグ１３ａを貫通して垂直に方向付けられたジャーナル１４の横穴３８内まで横方向に挿入されるという点において引き出し４のための離昇防止装置を形成することもできることを示しており、例えば、ジャーナル１４は、引き出し４の側壁の垂直に向けられた穴に既知の方法で係合する。また、固定ピン３７は、ジャーナル１４の内側の横穴３８と位置合わせされる引き出し側壁の対応する横穴も貫通しなければならない。
【００４９】
図３５〜図３７に係る典型的な実施形態は、円柱状のアタッチメント１５を有する舌部２９０がキャップ１３０に取り外し可能に固定され、それにより、図１３および図１４に係る典型的な実施形態で既に基本的に説明されたように引き出し４の前端領域に離昇防止装置を形成することを示している。特に図３４から明らかなように、舌部２９０には、その下端に、引き出しのフロントパネルから折り曲げられる作動タブ２９１が設けられる。この作動タブ２９１によって舌部２９０を引き出し４のフロントパネルから特定の限度内で持ち上げることができ、それにより、円柱状のアタッチメント１５がフロントパネルの穴から外される。これは、場合により必要とされる取り外しにとって非常に有利である。アタッチメント１５を作動させることにより、離昇防止装置を解除して、引き出し４を取り外すことができる。
【００５０】
図示されて説明される典型的な実施形態は、全体として、引き出し４をスライドレールに結合させるための固定または他の要件のために必要とされる機能部品が別個のアセンブリとして製造されて、多機能を統合する多機能アセンブリとして構成される場合に非常に有利であることを明らかにしようとしているにすぎない。
【００５１】
当業者においては、図示の例によって与えられる提案に基づいてそのようなアセンブリのための更なる実施形態を、これが特定の用途にとって望ましい場合に見出すことがもっぱら考えられる。
【００５２】
図３８〜図４４では、引き出しなどの家具引き出し部品（図示せず）に結合され得る、以下で全体にわたって「スライドレール」と称されるレールが参照符号８により特定され、スライドレールは、取り付けアングル１０を介して家具本体（図示せず）に固定できるガイドレール７に沿ってそれが長手方向に移動できるように案内されるとともに、その前面端に末端プラグ１３ａを有する。
【００５３】
スライドレール８に対して後述される方法で固定される末端プラグ１３ａは、例えば家具引き出し部品の側壁の対応する穴に係合するようになっている垂直上方に延びるジャーナル１４を有する。したがって、家具引き出し部品、例えば引き出しがスライドレール８に対してその移動方向で結合される。
【００５４】
また、末端プラグ１３ａには離昇防止装置が設けられ、該離昇防止装置は、図３８〜図４４の典型的な実施形態によれば、スライドレール８の外側輪郭を越えて突出する横方向延在部１００と、スライドレール８を移動方向に貫通して、例えば引き出しのフロントパネルの、対応して寸法付けられた穴に係合するようになっている円柱ピン１０１とを備える。円柱ピン１０１にはその後端にハンドル１０２が設けられ、該ハンドル１０２は、一方では、ピン１０１をその意図される位置に容易に取り付けるために使用され、他方では、ピン１０１を想定し得る取り外し時にその作用位置から容易に抜き出すこともできるように使用される。
【００５５】
スライドレール８からの引き出しの意図しない上昇は、例えば引き出しのフロントパネルの穴に係合するピン１０１によって防止される。
【００５６】
また、末端プラグ１３ａには、図３８〜図４４の典型的な実施形態ではスライドレール８の移動方向に対して横に延びる軸線１０４周りで回転できる偏心器１０３を備える垂直調整装置が設けられ、偏心器１０３の回転位置に応じて、偏心器は、図３に示されるようにスライドレール８および末端プラグ１３ａの表面を越えて突出し、あるいは、スライドレール８および末端プラグ１３ａの表面の面内にあるいは更にはそれよりも下方に下降される。スライドレール８および末端プラグ１３ａ上に載置される引き出しの垂直位置は、この偏心器１０３により特定の限度内で調整できる。
【００５７】
偏心器装着は、引き出しあるいは他の家具引き出し部品の負荷によって偏心器１０３の設定調整位置を調整できないように選択される。これは、偏心器装着が自己ロックでありあるいはとられた調整位置の対応する固定を確保するキャッチを備えるという点において達成され得る。
【００５８】
高感度調整を可能にするために、偏心軸線１０４にクランク１０５が成形され、このクランクを使用して、随意的に負荷下でも偏心器１０３を所望の調整位置に回動させることができる。
【００５９】
末端プラグ１３ａは、金属またはプラスチックから成る射出成形品として形成されるのが好ましい。
【００６０】
スライドレール８に対する末端プラグ１３ａの固定は、図４から特にはっきりと見ることができる。スライドレール８にはその前端領域に切り欠き１０６が設けられる。末端プラグ１３ａは、切り欠き１０６の下側逃げ面および切り欠き６の前側逃げ面上に載置される。
【００６１】
末端プラグ１３ａには、２つの正反対の側に、その下端の領域において窪み１０８で終端する切り抜き部１０７が設けられる。保持タブ１０９がこれらの切り抜き部１０７に折り曲げられてそれぞれの窪み１０８に押し付けられ、保持タブ１０９は切り欠き１０６の下側逃げ面から上方へ延びる。したがって、末端プラグ１３ａは全ての座標方向でスライドレール８に対して固定される。
【００６２】
末端プラグ１３ａの後端面は、ガイドレール７の前面と対向して、完全引き込み状態でスライドレール８のための末端ストッパを形成する。これは、この状態では、末端プラグ１３ａの上記後端面がガイドレール７に衝突するからである。
【００６３】
特に図４４から明らかなように、偏心器１０３の軸線１０４をこの目的のために設けられる末端プラグ１３ａのベアリングアイ１１０にクリップ留めすることができ、それにより、末端プラグ１３ａに対する偏心器１０３の取り付けがここでなされる。
【００６４】
その外形が多角形であるベアリングリング１１１が軸線１０４上に配置される。これらのベアリングリング１１１を末端プラグ１３ａの対応する多角形凹部１１２にクリップ留めすることができ、それにより、末端プラグ１３ａに対する偏心器１０３の全体的に安定した確実な装着がなされる。凹部１１２およびここにクリップ留めされるベアリングリング１１１は、それぞれベアリングアイ１１０の外側にある
【００６５】
末端プラグ１３ａは設計に起因する様々な機能部品を有しており、これらの部品は全てが末端プラグ１３ａ自体に設けられて取り付けられるが、末端ストッパ、垂直調整、離昇防止装置などの様々な機能をスライドレール８に設けるためにほんの僅かな全設置費用しか掛からないようになっている。
【００６６】
末端プラグ１３ａが図４５および図４６に示されており、この末端プラグ１３ａは、ハンドル１０２を有して離昇防止装置を形成する円柱状のピン１０１が末端プラグ１３ａを横方向に貫通し、したがって、ピンを家具引き出し部品の側壁の穴に挿入できるという点だけが図１〜図７に係る末端プラグ１３ａと異なる。その他の点においては、末端プラグ１３ａの構造も偏心器１０３の形態を成す垂直調整装置の構造も、図３８〜図４４の典型的な実施形態に係る構造と同一である。
【００６７】
本発明の典型的な実施形態が図４７〜図５０に示されており、この実施形態においても、末端プラグ１３ａを横方向に貫通する円柱状のピン１０１の形態を成す離昇防止装置が末端プラグ１３ａに設けられる。ここでは垂直調整装置が変更され、該垂直調整装置は、この典型的な実施形態では刻み付きホイール１８を有する垂直調整ねじ１９を備える。垂直調整ねじ１９は末端プラグ１３ａの対応するねじ穴１９ａにねじ込まれ、刻み付けホイール１８は、末端プラグ１３ａよりも上側にあり、したがって、例えば引き出しなどの家具引き出し部品のための支持体を形成する。刻み付きホイール１８を作動させることにより、垂直調整ねじ１９のピッチにしたがって家具引き出し部品を上昇または下降させることができる。図４８において特にはっきりと認識されるように、末端プラグ１３ａは、垂直調整ねじ１９が完全にねじ込まれるときに刻み付きホイール１８が垂直位置でスライドレール８の上面と共に刻み付きホイール１８のある領域で十分に切り欠かれる。刻み付きホイール１８は、末端プラグ１３ａの前側領域に配置され、したがって垂直調整のために常に良好にアクセスできる。図１２は、末端プラグ１３ａがここでも２つの対抗する側に切り抜き部１０７を備え、該切り抜き部１０７が底面の窪み１０８で終端し、それにより、図３８〜図４４に係る典型的な実施形態で既に説明したように、末端プラグ１３ａをここでは保持タブ１０９を介して固定することもできることを特に明確に示している。
【００６８】
本発明の典型的な実施形態が図５１および図５２に示されており、この実施形態では、末端プラグ１３ａが自己引き込み装置のための成形作動体３９を備える。この作動体３９は、家具引き出し部品が家具の構成要素の本体から引き出されるときに既知の自己引き込み装置のドライバと協働して力蓄積器にテンションを掛ける目的で、および、家具引き出し部品がその引き込み経路の最後の部分にあるときにテンションが掛けられた力蓄積器を再び解放し、それにより、この最後の距離にわたって家具引き出し部品が自動的にその閉位置に引き込まれるようにする目的で設けられる。
【００６９】
図５３〜図５５に係る本発明の典型的な実施形態は、末端プラグ１３ａが全ての考え得る機能部品を備えるという点において区別される。これらの機能部品は、ここでは、自己引き込み装置のための成形作動体３９、家具引き出し部品をスライドレール８に対して移動方向で結合するための成形ジャーナル１４、その動作のために刻み付きホイール１８を有する垂直調整ねじ１９の形態を成す垂直調整装置、および、ハンドル１０２を有する円柱ピン１０１の形態を成す離昇防止装置であり、円柱ピン１０１は、この典型的な実施形態では先と同様に末端プラグ１３ａの横方向延在部１００を長手方向で貫通し、したがって、家具引き出し部品のフロントパネルまたは前壁の穴に係合するようになっている。
【００７０】
無論、末端プラグ１３ａに組み込まれる様々な機能部品の更なる組み合わせが考えられる。
【００７１】
したがって、例えば、図５１〜図５５に係る典型的な実施形態では、偏心器１０３の形態を成す垂直調整装置を設けることもできる。
【００７２】
図３８〜図４４に係る本発明の典型的な実施形態では、作動体３９を末端プラグ１３ａに成形することも考えられる。
【００７３】
これらの実施形態の全ての変形例の共通の利点は、これまで個々のアセンブリの形態でスライドレール８に固定されるようになっていた非常に多数の機能要素が、ここでは単一の末端プラグ１３ａと一緒に組み合わされてそれと一緒にスライドレール８に固定できるという点である。
【００７４】
図示の典型的な実施形態に代えて、末端プラグ１３ａがスライドレール８内に形状適合形態で突出するアタッチメントを有し、該アタッチメントがその後にスライドレール８に対してロックされあるいはその１つ以上の窪みによってスライドレール８に接続されるという点において、末端プラグ１３ａをスライドレール８に接続することもできる。
【符号の説明】
【００７５】
１  家具本体
２  側壁
３  家具引き出しガイド
４  引き出し
５  後壁
６  フロントパネル
７  ガイド装置
８  スライドレール
９  自己引き込み装置
１０  取り付けアングル
１１  サイドアーム
１２  ローラキャリア
１３  ローラ
１３ａ  末端プラグ
１４  ジャーナル
１５  円柱状アタッチメント
１６  ブラケット
１７  傾斜面
１８  刻み付きホイール
１９  垂直調整ねじ
２０  スライド
２１  支持カム
２２  スライド
２３  フィルムヒンジ
２４  サイドアーム
２４ａ  サイドアーム
２５  スライド
２６  傾斜面
２７  末端プラグ
２７ａ  キャップ
２８  キャッチフック
２９  末端ストッパ
２９ａ  ストッパ
３０  突出部
３０ａ  突出部
３１  弾力のある舌部
３２  フック
３３  脚部
３４  ドライバ
３５  力蓄積器
３６  構成要素
３７  固定ピン
３８  横穴
３９  作動体
４０  ロッキング突起
４１  トリガ面
１００  延在部
１０１  ピン
１０２  ハンドル
１０３  偏心器
１０４  軸線
１０５  クランク
１０６  切り欠き
１０７  切り抜き部
１０８  窪み
１０９  保持タブ
１１０  ベアリングアイ
１１１  ベアリングリング
１１２  凹部
１１３  キャップ
２７０  歯
２８０  支持ウェブ
２９０  舌部
２９１  作動タブ
【図１】
2012503998.tif 000003
【図２】
2012503998.tif 000004
【図３】
2012503998.tif 000005
【図４】
2012503998.tif 000006
【図５】
2012503998.tif 000007
【図６】
2012503998.tif 000008
【図７】
2012503998.tif 000009
【図８】
2012503998.tif 000010
【図９】
2012503998.tif 000011
【図１０】
2012503998.tif 000012
【図１１】
2012503998.tif 000013
【図１２】
2012503998.tif 000014
【図１３】
2012503998.tif 000015
【図１４】
2012503998.tif 000016
【図１５】
2012503998.tif 000017
【図１６】
2012503998.tif 000018
【図１７】
2012503998.tif 000019
【図１８】
2012503998.tif 000020
【図１９】
2012503998.tif 000021
【図２０】
2012503998.tif 000022
【図２１】
2012503998.tif 000023
【図２２】
2012503998.tif 000024
【図２３】
2012503998.tif 000025
【図２４】
2012503998.tif 000026
【図２５】
2012503998.tif 000027
【図２６】
2012503998.tif 000028
【図２７】
2012503998.tif 000029
【図２８】
2012503998.tif 000030
【図２９】
2012503998.tif 000031
【図３０】
2012503998.tif 000032
【図３１】
2012503998.tif 000033
【図３２】
2012503998.tif 000034
【図３３】
2012503998.tif 000035
【図３４】
2012503998.tif 000036
【図３５】
2012503998.tif 000037
【図３６】
2012503998.tif 000038
【図３７】
2012503998.tif 000039
【図３８】
2012503998.tif 000040
【図３９】
2012503998.tif 000041
【図４０】
2012503998.tif 000042
【図４１】
2012503998.tif 000043
【図４２】
2012503998.tif 000044
【図４３】
2012503998.tif 000045
【図４４】
2012503998.tif 000046
【図４５】
2012503998.tif 000047
【図４６】
2012503998.tif 000048
【図４７】
2012503998.tif 000049
【図４８】
2012503998.tif 000050
【図４９】
2012503998.tif 000051
【図５０】
2012503998.tif 000052
【図５１】
2012503998.tif 000053
【図５２】
2012503998.tif 000054
【図５３】
2012503998.tif 000055
【図５４】
2012503998.tif 000056
【図５５】
2012503998.tif 000057
【国際調査報告】
2012503998.tif 000058
2012503998.tif 000059
2012503998.tif 000060
2012503998.tif 000061
2012503998.tif 000062
2012503998.tif 000063